(57)【要約】      （修正有）【課題】ジョブ履歴の取りこぼしが発生する可能性がある場合には、省電力状態への移行を制限し、ジョブ履歴の取りこぼしの発生頻度を低減させることが可能なジョブ履歴管理装置を提供する。【解決手段】ジョブ履歴の収集を行うジョブ履歴収集装置と接続可能なジョブ履歴管理装置であって、前記ジョブ履歴収集装置による前記ジョブ履歴の収集状況を管理する収集状況管理手段と、所定の時間利用されない無かった場合に省電力モードに移行する省電力手段と、前記省電力手段により省電力モードに移行させるか否かを、前記収集状況管理手段により管理される収集状況に応じて制御する省電力制御手段と、を有する。【選択図】図１
2014123857.tif 000002
【特許請求の範囲】
【請求項１】
ジョブ履歴の収集を行うジョブ履歴収集装置と接続可能なジョブ履歴管理装置であって、
前記ジョブ履歴収集装置による前記ジョブ履歴の収集状況を管理する収集状況管理手段と、
所定の時間利用されない場合に省電力モードに移行する省電力手段と、
前記省電力手段により省電力モードに移行させるか否かを、前記収集状況管理手段により管理される収集状況に応じて制御する省電力制御手段と、
を有することを特徴とするジョブ履歴管理装置。
【請求項２】
前記省電力制御手段は、前記収集状況管理手段により収集されていない未取得ジョブが所定数より多く残っていると判定される場合に前記省電力モードへの移行を待機するよう制御することを特徴とする請求項１記載のジョブ履歴管理装置。
【請求項３】
前記ジョブ履歴収集装置は、所定の時刻に前記ジョブ履歴の収集を行うものであり、
前記省電力制御手段は、前記収集状況管理手段により収集されていない未取得ジョブが所定数より多く残っていると判定される場合、前記所定の時刻に応じて次のジョブ履歴収集が行われるまで前記省電力モードへの移行を待機するよう制御することを特徴とする請求項１または２に記載のジョブ履歴管理装置。
【請求項４】
前記省電力制御手段により前記省電力モードへの移行を待機するよう制御された後、前記利用されない場合に省電力モードに移行する所定の時間のタイマーをリセットすることを特徴とする請求項１乃至３のいずれか１項に記載のジョブ履歴管理装置。
【請求項５】
ジョブ履歴収集装置とジョブ履歴管理装置とから構成されるジョブ履歴管理システムであって、
前記ジョブ履歴収集装置は、
前記ジョブ履歴管理装置からジョブ履歴を収集するジョブ履歴収集手段を有し、
前記ジョブ履歴管理装置は、
前記ジョブ履歴収集手段による前記ジョブ履歴の収集状況を管理する収集状況管理手段と、
所定の時間利用されない場合に省電力モードに移行する省電力手段と、
前記省電力手段により省電力モードに移行させるか否かを、前記収集状況管理手段により管理される収集状況に応じて制御する省電力制御手段と、
を有することを特徴とするジョブ履歴管理システム。
【請求項６】
ジョブ履歴の収集を行うジョブ履歴収集装置と接続可能なジョブ履歴管理装置の制御方法であって、
前記ジョブ履歴収集装置による前記ジョブ履歴の収集状況を管理する収集状況管理ステップと、
所定の時間利用されない場合に省電力モードに移行する省電力ステップと、
前記省電力ステップにより省電力モードに移行させるか否かを、前記収集状況管理ステップにより管理される収集状況に応じて制御する省電力制御ステップと、
を有することを特徴とするジョブ履歴管理装置の制御方法。
【請求項７】
ジョブ履歴の収集を行うジョブ履歴収集装置と接続可能なジョブ履歴管理装置で実行可能なプログラムであって、
前記ジョブ履歴管理装置を、
前記ジョブ履歴収集装置による前記ジョブ履歴の収集状況を管理する収集状況管理手段と、
所定の時間利用されない場合に省電力モードに移行する省電力手段と、
前記省電力手段により省電力モードに移行させるか否かを、前記収集状況管理手段により管理される収集状況に応じて制御する省電力制御手段と、
を有することを特徴とするジョブ履歴管理装置として機能させるためのプログラム。
【発明の詳細な説明】
【技術分野】
【０００１】
本発明は、省電力機能およびジョブ履歴機能を有し、ジョブ履歴の収集状況に応じて省電力への移行を制御可能なジョブ履歴管理装置に関する。
【背景技術】
【０００２】
近年の複合機などに代表されるネットワーク機能を有する各種デバイス装置は、印刷やプリントなど各種機器の有する機能を実行すると、実行した処理単位のジョブが履歴としてデバイス装置上に蓄積される。例えば、印刷であれば１印刷ジョブに対して１つの印刷ジョブ履歴ができる。
【０００３】
デバイス装置上に蓄積することのできるジョブ履歴の件数には上限があり、上限を超えると保存領域を周回して最初のジョブ履歴から上書きされていくことがよく行われている。
【０００４】
これらデバイス装置がネットワーク接続され複数存在するような場合、デバイス装置に定期的にアクセスし、ジョブ履歴を収集するジョブ収集装置が利用されている。
【０００５】
一方、多くのデバイス装置には省電力機能が備わっており、デバイス装置が省電力モード中はデバイス装置のジョブ履歴を収集することができない。省電力モードから復帰しジョブを実行し、再度省電力モードになった場合、ジョブ履歴収集のタイミングと合わないと、未取得のジョブログが蓄積され、その結果、上書きされたジョブ履歴の収集もれ（取りこぼし）が発生する。
【０００６】
これを防ぐべく特許文献１では、パケットを受信したときに、省電力モードから通常モードに復帰して適宜の処理を行う仕組みが提案されている。
【０００７】
また、特許文献２では、さらに頻繁に省電力モードから通常モードに復帰してしまうことも考慮し、メインシステムを省電力モードから通常モードに復帰させるか否かを、パケットの送信元のアドレスに基づいて判断することにより、不必要に通常モードへ復帰してしまうことを防止し、不要な電力の消費を抑える仕組みが提案されている。
【先行技術文献】
【特許文献】
【０００８】
【特許文献１】特開２００７−１０２６３０号公報
【特許文献２】特開２０１２−１５１６８１号公報
【発明の開示】
【発明が解決しようとする課題】
【０００９】
特許文献１および特許文献２で提案されている仕組みは、どちらも要求があったときに省電力モードから通常モードへの復帰に関して制御しようというものである。しかしながら、これらの場合、例え収集するべきジョブ履歴がなくても、通常モードに復帰してしまう場合があり、省電力につながらないケースが発生してしまう。
【００１０】
これに対して、発明は収集すべきジョブ履歴が存在するかどうかを起動している状態で判定し、取りこぼしが発生しそうな状況であれば、省電力モードに入らず、ジョブ履歴の収集の成功する確率を高めるようにしている。
【００１１】
そこで本発明は、ジョブ履歴の取りこぼしが発生する可能性がある場合には、省電力状態への移行を制限し、ジョブ履歴の取りこぼしの発生頻度を低減させることが可能なジョブ履歴管理装置を提供することを課題とする。
【課題を解決するための手段】
【００１２】
ジョブ履歴の収集を行うジョブ履歴収集装置と接続可能なジョブ履歴管理装置であって、前記ジョブ履歴収集装置による前記ジョブ履歴の収集状況を管理する収集状況管理手段と、所定の時間利用されない場合に省電力モードに移行する省電力手段と、前記省電力手段により省電力モードに移行させるか否かを、前記収集状況管理手段により管理される収集状況に応じて制御する省電力制御手段と、を有する。
【発明の効果】
【００１３】
本発明によれば、ジョブ履歴の取りこぼしが発生する可能性がある場合には、省電力状態への移行を制限し、ジョブ履歴の取りこぼしの発生頻度を低減させることが可能なジョブ履歴管理装置を提供することができる。
【図面の簡単な説明】
【００１４】
【図１】本発明のジョブ履歴管理システムにおけるシステム構成の一例を示すシステム構成図である。
【図２】本発明のジョブ履歴管理装置に適用可能なデバイス装置のハードウェア構成を示すブロック図である。
【図３】本発明のジョブ履歴管理システムにおける機能ブロック図である。
【図４】従来の処理の流れを示すフローチャートである。
【図５】本発明のジョブ履歴管理システムにおける処理の流れの一例を示すフローチャートである。
【図６】本発明のジョブ履歴管理システムにおけるジョブの履歴データの一例を示す図である
【図７】本発明のジョブ履歴管理システムにおけるジョブの履歴データの１レコードを示す図である。
【発明を実施するための形態】
【００１５】
以下、図面を参照して、本発明の実施形態を詳細に説明する。
図１は、本発明のジョブ履歴管理システムにおけるシステム構成の一例を示すシステム構成図である。
【００１６】
ジョブ履歴管理システム１００は、複数のジョブ履歴管理装置１０１およびジョブ履歴収集装置１０２がＬＡＮ（ネットワーク）１１０を介して接続されている。
【００１７】
ジョブ履歴管理装置１０１は、自装置の操作やジョブに関するログ（履歴）を出力し蓄積するジョブ履歴記憶部１０５、ジョブ履歴収集装置１０２によるジョブ履歴の収集状況を管理する収集状況管理機構１０４、およびデバイス装置の節電を実現する省電力機構１０６を備えている。
【００１８】
なお、ジョブ履歴管理装置１０１は、複合機やネットワーク機器やサーバ装置などの操作ログをジョブ履歴として出力、蓄積可能なデバイス装置に適用可能である。図では、同じデバイス装置として記載しているが、異なる機能を有するデバイス装置であってもよい。ただし、少なくとも１０４から１０６の各機能を有するものとする。
【００１９】
ジョブ履歴収集装置１０２は、複数のジョブ履歴管理装置１０１と同じＬＡＮ１１０に接続可能であり、各デバイス装置のジョブ履歴を収集するジョブ履歴収集アプリケーション１０３を有している。
【００２０】
ジョブ履歴収集アプリケーション１０３は、定められた時間に所定のデバイス装置からジョブ履歴を収集する。対象とするデバイス装置は、ＩＰアドレスやシリアルナンバーなどを指定することで収集対象として登録することができる。
【００２１】
また、ジョブ履歴の収集は、基本的にデバイス装置が省電力状態であれば、収集しないようになっている。収集されたジョブ履歴は、ジョブ履歴収集装置内のデータベースに保持され、収集結果などをレポートとしてエクスポートすることが可能である。
【００２２】
収集状況管理機構１０４は、ジョブ履歴収集アプリケーション１０３によって収集されたジョブ履歴が取得済みか未取得か、またいつ取得されたのかなどのジョブ履歴の収集状況を管理する。
【００２３】
ジョブ履歴記憶部１０５は、ジョブ履歴管理装置１０１が書き出したジョブ履歴を蓄積し、収集状況管理部１０４が管理するジョブ履歴の収集状況を管理する。詳細については、図６および図７を利用して説明する。
【００２４】
省電力制御機構１０６は、ジョブ履歴管理装置１０１の有する省電力モードに移行させるか、移行させないかの判定を行い、移行させない場合は所定の方法で、省電力モードへの移行を待機させる処理を行う。
【００２５】
図２は、本発明のジョブ履歴管理装置に適用可能なデバイス装置のハードウェア構成を示すブロック図である。
【００２６】
図１に示すジョブ履歴管理装置１０１に適用可能なデバイス装置のハードウェア構成の一例を示すブロック図である。
【００２７】
３１６はコントローラユニットで、画像入力デバイスとして機能するスキャナ３１４や、画像出力デバイスとして機能するプリンタ部３１２と接続する一方、ＬＡＮや公衆回線（ＷＡＮ）（例えば、ＰＳＴＮまたはＩＳＤＮ等）と接続することで、画像データやデバイス情報の入出力を行う。
【００２８】
コントローラユニット３１６において、３０１はＣＰＵで、システム全体を制御するプロセッサである。ＣＰＵ３０１により、システム全体を省電力モードへ移行するためのタイマーの管理や実際のモードの切り替えの制御を行う。３０２はＲＡＭで、ＣＰＵ３０１が動作するためのシステムワークメモリであり、プログラムを記録するためのプログラムメモリや、画像データを一時記録するための画像メモリでもある。
【００２９】
３０３はＲＯＭで、システムのブートプログラムや各種制御プログラムが格納されている。３０４はハードディスクドライブ（ＨＤＤ）で、システムを制御するための各種プログラム，画像データ等を格納する。
【００３０】
３０７は操作部インタフェース（操作部Ｉ／Ｆ）で、操作部３０８とのインタフェース部である。また、操作部Ｉ／Ｆ３０７は、操作部３０８から入力したキー情報（例えば、スタートボタンの押下）をＣＰＵ３０１に伝える役割をする。
【００３１】
３０５はネットワークインタフェース（ネットワークＩ／Ｆ）で、ＬＡＮ１１０等のネットワークに接続し、データの入出力を行う。３０６はモデムで、公衆回線に接続し、ファクシミリの送受信等のデータの入出力を行う。
【００３２】
３１８は外部インタフェース（外部Ｉ／Ｆ）で、ＵＳＢ、ＩＥＥＥ１３９４，プリンタポート，ＲＳ−２３２Ｃ等の外部入力を受け付けるＩ／Ｆ部であり、本実施形態においてはユーザの認証を行う際に必要となる非接触ＩＣカード（記憶媒体）の読み取り用のカードリーダ３１９が外部Ｉ／Ｆ部３１８に接続されている。そして、ＣＰＵ３０１は、この外部Ｉ／Ｆ３１８を介してカードリーダ３１９によるＩＣカードからの情報読み取りを制御し、該ＩＣカードから読み取られた情報を取得可能である。以上のデバイスがシステムバス３０９上に配置される。
【００３３】
３２０はイメージバスインタフェース（イメージバスＩ／Ｆ）であり、システムバス３０９と画像データを高速で転送する画像バス３１５とを接続し、データ構造を変換するバスブリッジである。画像バス３１５は、ＰＣＩバスまたはＩＥＥＥ１３９４で構成される。画像バス３１５上には以下のデバイスが配置される。
【００３４】
３１０はラスタイメージプロセッサ（ＲＩＰ）で、例えば、ＰＤＬコード等のベクトルデータをビットマップイメージに展開する。３１１はプリンタインタフェース（プリンタＩ／Ｆ）で、プリンタ３１２とコントローラユニット３１６を接続し、画像データの同期系／非同期系の変換を行う。また、３１３はスキャナインタフェース（スキャナＩ／Ｆ）で、スキャナ３１４とコントローラユニット３１６を接続し、画像データの同期系／非同期系の変換を行う。
【００３５】
３１７は画像処理部で、入力画像データに対し補正、加工、編集を行ったり、プリント出力画像データに対して、プリンタの補正、解像度変換等を行ったりする。また、これに加えて、画像処理部３１７は、画像データの回転や、多値画像データに対してはＪＰＥＧ、２値画像データはＪＢＩＧ、ＭＭＲ、ＭＨ等の圧縮伸張処理を行う。そして、この画像処理部３１７は、スキャナ３１４を駆動して画像読み取りされた画像データを画像処理して、ファイル出力可能な形式（例えば、ＰＤＦ形式ファイル）に変換し、ＣＰＵ３０１と連携して、ネットワークＩ／Ｆ３０５を介して、外部装置に画像データのファイルを送信することができる。
【００３６】
スキャナ３１４は、原稿となる紙上の画像を照明し、ＣＣＤラインセンサで走査することで、ラスタイメージデータとして電気信号に変換する。原稿用紙は原稿フィーダのトレイにセットし、装置使用者が操作部３０８から読み取り起動指示することにより、ＣＰＵ３０１がスキャナ３１４に指示を与え、フィーダは原稿用紙を１枚ずつフィードし原稿画像の読み取り動作を行う。
【００３７】
プリンタ３１２は、ラスタイメージデータを用紙上の画像に変換する部分であり、その方式は感光体ドラムや感光体ベルトを用いた電子写真方式、微少ノズルアレイからインクを吐出して用紙上に直接画像を印字するインクジェット方式等があるが、どの方式でも構わない。プリント動作の起動は、ＣＰＵ３０１からの指示によって開始する。なお、プリンタ３１２には、異なる用紙サイズまたは異なる用紙向きを選択できるように複数の給紙段を持ち、それに対応した用紙カセットがある。
【００３８】
操作部３０８は、ＬＣＤ表示部を有し、ＬＣＤ上にタッチパネルシートが貼られており、システムの操作画面を表示するとともに、表示してあるキーが押されるとその位置情報を操作部Ｉ／Ｆ３０７を介してＣＰＵ３０１に伝える。また、操作部３０８は、各種操作キーとして、例えば、スタートキー、ストップキー、ＩＤキー、リセットキー等を備える。
【００３９】
ここで、操作部３０８のスタートキーは、原稿画像の読み取り動作を開始する時などに用いる。スタートキーの中央部には、緑と赤の２色ＬＥＤがあり、その色によってスタートキーが使える状態にあるかどうかを示す。また、操作部３０８のストップキーは、稼働中の動作を止める働きをする。また、操作部３０８のＩＤキーは、使用者のユーザＩＤを入力する時、また手動でユーザのログアウト処理を行う時に用いる。リセットキーは、操作部からの設定を初期化する時に用いる。
【００４０】
カードリーダ３１９は、ＣＰＵ３０１からの制御により、非接触ＩＣカードに記憶されている情報を読み取り、該読み取った情報を外部Ｉ／Ｆ３１８を介してＣＰＵ３０１へ通知する。
【００４１】
以上のような構成によって、複合機は、スキャナ３１４から読み込んだ画像データをＬＡＮ１１０上に送信したり、ＬＡＮ１１０から受信した印刷データをプリンタ３１２で印刷出力したりすることができる。
【００４２】
また、スキャナ３１４から読み込んだ画像データをモデム３０６により、公衆回線上にファクシミリ送信したり、公衆回線からファクシミリ受信した画像データをプリンタ３１２で印刷出力したりすることができる。
図３は、本発明のジョブ履歴管理システムにおける機能ブロック図である。
【００４３】
ジョブ履歴管理装置１０１は、収集状況管理機構１０４、省電力制御機構１０６、および全体制御部３１０を有する。
【００４４】
それぞれが別個の機構として単独で動作可能な収集状況管理機構１０４と省電力制御機構１０６を全体制御部３１０で関連性を持たせて制御をするものである。
【００４５】
収集状況管理機構１０４は、ジョブ履歴蓄積上限数管理部３０１および未取得ジョブ履歴数管理部３０２を有している。
【００４６】
ジョブ履歴蓄積上限管理部３０１は、未取得ジョブ履歴の数を管理することが可能で、省電力モードに移行させるかどうかの判定に利用される。例えば、未取得ジョブ履歴の数が所定の割合以上であれば省電力モードに移行させないようにすることができる。
【００４７】
未取得ジョブ履歴数管理部３０２は、ジョブ履歴蓄積上限数を管理することが可能で、省電力モードに移行させるかどうかの判定に利用される。また、未取得ジョブ履歴の割合を算出する際にも利用可能である。
省電力制御機構１０６は、省電力移行カウンタ３０３および省電力移行部３０４を有する。
【００４８】
省電力移行カウンタ３０３は、ジョブ履歴管理装置が省電力モードに移行するまでの時間をカウントする機能である。デバイス装置が利用されないままの状態で所定の時間がカウントされると省電力モードに移行される。
【００４９】
省電力移行部３０４は、所定の時間が経過した場合に省電力モードに移行したり、所定の時間が経過したにも関わらず、ジョブ履歴の収集状況によって省電力モードへの移行を待機させるよう制御する機能を有する。
【００５０】
全体制御部３１０は、上記２つの機構を連携させてジョブ履歴管理装置全体の制御を行う。おおまかな処理の流れについて説明する。
【００５１】
ステップＳ３１１で、ジョブ履歴蓄積上限数を取得し、ステップＳ３１２では、未取得ジョブ履歴数を取得する。ステップＳ３１３で、取得した未取得ジョブの収集状況に応じて、省電力モードに意向するべきか否かを判定する。移行しないで待機させると判定された場合は、ステップＳ３１４で省電力カウンタをクリアして、ステップＳ３１５で省電力モードへの移行を所定の時間待機させるように制御する。
【００５２】
また、収集状況により、省電力モードに移行すると判定された場合は、ステップＳ３１４をスキップし、ステップＳ３１５では、すぐに省電力モードに移行させるように制御する。詳細な処理内容については、図４および図５を利用して説明する。
図４は、従来の処理の流れを示すフローチャートである。
【００５３】
従来から行われているジョブ履歴管理装置とジョブ履歴収集装置の処理の流れを示すフローチャートである。なお、ジョブ履歴管理装置とジョブ履歴収集装置の処理はそれぞれが別々に行われるものである。
【００５４】
ステップＳ４０１からステップＳ４０５は、ジョブ履歴管理装置の、ステップＳ４１１からステップＳ４１３は、ジョブ履歴収集装置の処理を示す。
【００５５】
まず、ジョブ履歴管理装置は、ステップＳ４０１でジョブが実行されることによる省電力モードから復帰することで処理が開始される。省電力モードからの復帰とは、ジョブが実行される場合やユーザにより強制的に解除されるケースがある。
【００５６】
ステップＳ４０２では、印刷やコピーなどのジョブが実行され、ステップＳ４０３で、ジョブ履歴が作成される。作成されたジョブは、図６および図７に示すジョブ履歴テーブルに蓄積される。なお、省電力モードから復帰した場合であっても、ジョブが実行されなかった場合には、ステップＳ４０２とＳ４０３の処理はスキップされ、ステップＳ４０４の判定が行われる。
【００５７】
ステップＳ４０４では、ジョブ履歴管理装置に設定された条件で省電力モードへ移行するタイミングであるかを判定し、省電力モードへ移行するタイミングまで判定がループされる。設定された条件とは、所定の時間利用されない場合などである。
【００５８】
省電力モードへ移行するタイミングになった場合、ステップＳ４０５で省電力モードへ行こうして処理が終了される。省電力モードから復帰する場合には、再度ステップＳ４０１から本処理が実行される。
【００５９】
一方、ジョブ履歴収集装置では、所定の時間に対象のジョブ履歴管理装置に対して、ジョブ履歴収集処理を行う。本実施例では、ステップＳ４１１からＳ４１３までの３つを例にして説明する。各ステップの処理内容は同一である。
【００６０】
ステップＳ４１１でジョブ履歴収集処理が実行された場合、ジョブ履歴管理装置は、省電力モード中ではないので、ジョブ履歴の収集に成功する。ステップＳ４１２の場合も同様に成功する。
【００６１】
ステップＳ４１３の場合、ジョブ履歴管理装置は、省電力モード中であるので、ジョブ履歴の収集には失敗してしまうことになる。
【００６２】
つまり、ステップＳ４０１で復帰してからステップＳ４０５で省電力モードに移行するまでの間にジョブ履歴収集が行われるとジョブ収集が成功し、ステップＳ４０５以降（省電力モード中）はジョブ収集に失敗するようになっている。
図５は、本発明のジョブ履歴管理システムにおける処理の流れの一例を示すフローチャートである。
【００６３】
図４では、従来の例を利用して、省電力モード中の場合は、ジョブ履歴の収集に失敗することを説明したが、本発明では、ジョブ履歴の収集に失敗する可能性のある場合には、省電力モードへの移行を制限して、ジョブ履歴の収集が失敗する確立を低減させようというものである。
【００６４】
ステップＳ５０１からステップＳ５０４の処理は図４のステップＳ４０１からステップＳ４０４の処理と同一であるので説明は省略する。
【００６５】
ステップＳ５０４で、省電力モードに入るタイミングとなった場合、ステップＳ５０５では、そのまま省電力モードに移行してよいかどうかの判定を行う。具体的には、
（１）ジョブ履歴に未取得のジョブ履歴が残っている場合
（２）ジョブ履歴に未取得のジョブが所定数より多く残っている場合
（３）次のジョブ履歴収集装置によるジョブ履歴収集までの時間が所定時間より短い場合
などの条件を予め設定しておくことにより判定を行う。
【００６６】
（１）が条件の場合は、未取得のジョブ履歴が残っている場合は、省電力モードへの移行を待機するもので、例えば未取得のジョブ履歴が１件残っている場合に省電力モードに移行せず待機させる。
【００６７】
（２）が条件の場合は、収集状況管理機構により管理されるジョブ履歴の中で、未取得のジョブ履歴が所定の割合より多くある場合に省電力モードへの移行を待機する。例えば所定の割合が７割だとすると、未取得のジョブ履歴の割合が７割を超えている場合に、省電力モードに移行せず待機させる。また、未取得のジョブ履歴の割合だけでなく、件数を判定材料とすることもできる。
【００６８】
（３）が条件の場合は、別途管理するジョブ履歴収集装置からの収集スケジュールにより、所定の時間内に次の収集がある場合に省電力モードへの移行を待機する。例えば、所定の時間が１０分であれば、後１０以内にジョブ履歴収集が行われる場合に、省電力モードに移行せず待機させる。
【００６９】
ステップＳ５０５で、省電力モードに直ちに移行すると判定された場合、ステップＳ５０６で省電力への移行処理が行われ、処理が終了する。
【００７０】
一方、ステップＳ５０５で待機すると判定された場合は、ステップＳ５０７で省電力モードへの移行を待機する。（省電力モードへ移行しないように制御する。）待機した後に省電力モードに行こうするタイミングは、設定によって選択することができる。
【００７１】
原則は、待機時間が予め定められており、所定時間経過後に省電力モードに移行する。具体的には、省電力モードへの移行を待機した場合に、ジョブ履歴管理装置の省電力タイマーをリセットし、省電力に入るタイミングでステップＳ５０４の判定を行うようにしてもよいし、当該タイミングでは、一度待機処理を行っている場合は、すぐに省電力モードに移行するようにステップＳ５０５の判定を省略するようにしてもよい。
【００７２】
また、ステップＳ５０５の判定の条件が満たされるまで待って、条件が満たされたとき（ステップＳ５０５で「移行」の判定がされる状態）になったらステップＳ５０８の省電力移行処理を行うようにしてもよい。
【００７３】
一方、ジョブ履歴収集装置では、所定の時間に対象のジョブ履歴管理装置に対して、ジョブ履歴収集処理を行う。本実施例では、ステップＳ５１１からＳ５１３までの３つを例にして説明する。各ステップの処理内容は同一であり、あらかじめ設定された所定の時刻にジョブ履歴の収集を行う。所定の時刻とは、時間を決めて収集するものでもよいし、所定の時間間隔で収集するものでもよい。
【００７４】
ステップＳ５１１でジョブ履歴収集処理が実行された場合、ジョブ履歴管理装置は、省電力モード中ではないので、ジョブ履歴の収集に成功する。ステップＳ５１２の場合も同様に成功する。
【００７５】
ステップＳ４１３の場合、同じタイミングでジョブ履歴収集処理が行われるが、ジョブ履歴管理装置の状態が、ステップＳ５０７とステップＳ５０８の間の状態であれば、省電力移行の待機中なので、ジョブ履歴の収集に成功する。
【００７６】
一方、ステップＳ５０６で省電力モードに移行した後の状態であれば、省電力モード中なので、ジョブ履歴の収集に失敗する。
【００７７】
つまり、ステップＳ５０１で復帰してからステップＳ５０６およびステップＳ５０８で省電力モードに移行するまでの間にジョブ履歴収集が行われるとジョブ収集が成功し、ステップＳ４０５以降（省電力モード中）はジョブ収集に失敗するようになっている。
【００７８】
このようにタイマーによりデバイス装置が省電力モードに移行するときに、ジョブ履歴の収集状態によって、そのまま省電力モードへ移行するのか、待機させるのかの判定を行うことで、ジョブ履歴の収集を失敗する可能性を低減させることができる。
図６は、本発明のジョブ履歴管理システムにおけるジョブの履歴データの一例を示す図である
【００７９】
ジョブ履歴管理装置１０１の記憶装置に記憶される。ＪｏｂＮｏ６０１は、ジョブ履歴管理装置におけるジョブ履歴を一意に識別するための番号である。
【００８０】
ＪｏｂＴｙｐｅ６０２は、ジョブ履歴管理装置で実行されたジョブの種類であり、本実施例では、印刷を示す「ＰＲＩＮＴ」、原稿読込を示す「ＳＣＡＮ」、読み取った原稿の送信を示す「ＳＥＮＤ」、コピーを示す「ＣＯＰＹ」などが記憶される。ジョブの種類はこれに限ったものではない。
【００８１】
ＪｏｂＮａｍｅ６０３は、ジョブ名称であり、例えば「ＰＲＩＮＴ」であれば文書名が記録され、「ＳＣＡＮ」であれば、ジョブ履歴管理装置によって付与されたファイル名が記録される。
【００８２】
取得フラグ６０４は、ジョブ履歴管理装置に記録されるジョブ履歴がジョブ収集装置によって収集されたかどうかを記録する値である。成功した場合は「ｔｒｕｅ」、未取得の場合は「ｆａｌｓｅ」の値を保持する。この値に基づいて、省電力モードに移行するのか待機するのかの判定が行われる。
図７は、本発明のジョブ履歴管理システムにおけるジョブの履歴データの１レコードを示す図である。
【００８３】
レコード７００に記憶される内容として、図６で説明していない値として、ＪｏｂＯｗｎｅｒ７０４、Ｒｅｓｕｌｔ７０５、ＳｔａｒｔＴｉｍｅ７０６、およびＦｉｎｉｓｈＴｉｍｅ７０７が挙げられる。
【００８４】
ＪｏｂＯｗｎｅｒ７０４はジョブの実行者であり、Ｒｅｓｕｌｔ７０５はジョブの実行結果であり、ＳｔａｒｔＴｉｍｅ７０６はジョブの実行開始時刻であり、ＦｉｎｉｓｈＴｉｍｅ７０７はジョブの実行終了時刻である。
なお、省電力制御手段は、ここに記録された値を利用して各種判定を行うことが可能である。
【００８５】
以上、一実施形態について示したが、本発明は、例えば、システム、装置、方法、プログラムもしくは記録媒体等としての実施態様をとることが可能であり、具体的には、複数の機器から構成されるシステムに適用しても良いし、また、一つの機器からなる装置に適用しても良い。
【００８６】
また、本発明におけるプログラムは、本発明に示すフローチャートの処理方法をコンピュータが実行可能なプログラムであり、本発明の記憶媒体はコンピュータが実行可能なプログラムが記憶されている。なお、本発明におけるプログラムは各装置の処理方法ごとのプログラムであってもよい。
【００８７】
以上のように、前述した実施形態の機能を実現するプログラムを記録した記録媒体を、システムあるいは装置に供給し、そのシステムあるいは装置のコンピュータ（またはＣＰＵやＭＰＵ）が記録媒体に格納されたプログラムを読出し実行することによっても、本発明の目的が達成されることは言うまでもない。
【００８８】
この場合、記録媒体から読み出されたプログラム自体が本発明の新規な機能を実現することになり、そのプログラムを記憶した記録媒体は本発明を構成することになる。
【００８９】
プログラムを供給するための記録媒体としては、例えば、フレキシブルディスク、ハードディスク、光ディスク、光磁気ディスク、ＣＤ−ＲＯＭ、ＣＤ−Ｒ、ＤＶＤ−ＲＯＭ、磁気テープ、不揮発性のメモリカード、ＲＯＭ、ＥＥＰＲＯＭ、シリコンディスク、ソリッドステートドライブ等を用いることができる。
【００９０】
また、コンピュータが読み出したプログラムを実行することにより、前述した実施形態の機能が実現されるだけでなく、そのプログラムの指示に基づき、コンピュータ上で稼働しているＯＳ（オペレーティングシステム）等が実際の処理の一部または全部を行い、その処理によって前述した実施形態の機能が実現される場合も含まれることは言うまでもない。
【００９１】
さらに、記録媒体から読み出されたプログラムが、コンピュータに挿入された機能拡張ボードやコンピュータに接続された機能拡張ユニットに備わるメモリに書き込まれた後、そのプログラムコードの指示に基づき、その機能拡張ボードや機能拡張ユニットに備わるＣＰＵ等が実際の処理の一部または全部を行い、その処理によって前述した実施形態の機能が実現される場合も含まれることは言うまでもない。
【００９２】
また、本発明は、複数の機器から構成されるシステムに適用しても、１つの機器からなる装置に適用してもよい。また、本発明は、システムあるいは装置にプログラムを供給することによって達成される場合にも適応できることは言うまでもない。この場合、本発明を達成するためのプログラムを格納した記録媒体を該システムあるいは装置に読み出すことによって、そのシステムあるいは装置が、本発明の効果を享受することが可能となる。
【００９３】
さらに、本発明を達成するためのプログラムをネットワーク上のサーバ、データベース等から通信プログラムによりダウンロードして読み出すことによって、そのシステムあるいは装置が、本発明の効果を享受することが可能となる。
なお、上述した各実施形態およびその変形例を組み合わせた構成も全て本発明に含まれるものである。
【符号の説明】
【００９４】
１００        ジョブ履歴管理システム
１０１        ジョブ履歴管理装置
１０２        ジョブ履歴収集装置
１０３        ジョブ履歴収集アプリケーション
１０４        収集状況管理機構
１０５        ジョブ履歴記憶部
１０６        省電力制御機構
１１０        ＬＡＮ
【図１】
2014123857.tif 000003
【図２】
2014123857.tif 000004
【図３】
2014123857.tif 000005
【図４】
2014123857.tif 000006
【図５】
2014123857.tif 000007
【図６】
2014123857.tif 000008
【図７】
2014123857.tif 000009